(57)【要約】  表示制御装置は、主操作部からの主操作情報に基づき主表示部の表示を制御する主表示制御部と、副操作部からの副操作情報に基づき副表示部の表示を制御する副表示制御部とを備える。この副表示制御部は、主操作情報に基づき主操作部で操作を受付中である場合、副表示部に表示させている項目のうち、主操作部で操作を受付中の項目に関連する項目、および主表示部の表示に変更が必要となる機能が割り当てられた項目を表示しないよう制御する。
2017072957.tif 000002
【特許請求の範囲】
【請求項１】
機能が割り当てられた項目に対する操作を受け付けて主操作情報として出力する主操作部からの前記主操作情報に基づき、主表示部の表示を制御する主表示制御部と、
機能が割り当てられた項目に対する操作を受け付けて副操作情報として出力する副操作部からの前記副操作情報に基づき、副表示部の表示を制御する副表示制御部とを備え、
前記副表示制御部は、前記主操作情報に基づき前記主操作部で操作を受付中である場合、前記副表示部に表示させている項目のうち、前記主操作部で操作を受付中の項目に関連する項目、および前記主表示部の表示に変更が必要となる機能が割り当てられた項目を表示しないよう制御することを特徴とする表示制御装置。
【請求項２】
前記主操作情報および前記副操作情報に基づき、前記主操作部および前記副操作部で操作を受け付けた項目に割り当てられた機能を、実行部で実行するよう制御する実行制御部を備え、
前記実行制御部は、前記主操作部で操作を受付中である場合、前記副表示制御部が前記副表示部に表示させている項目に割り当てられた機能のうち、前記主操作部で操作を受付中の項目に関連する項目に割り当てられた機能、および前記主表示部の表示に変更が必要となる機能を実行しないよう前記実行部を制御することを特徴とする請求項１記載の表示制御装置。
【請求項３】
前記副表示制御部は、前記主操作情報に基づき前記主操作部で操作を受付中である場合であっても、予め定められた副側優先条件を満たす場合には、前記主操作部で操作を受付中の項目に関連する項目、および前記主表示部の表示に変更が必要となる機能が割り当てられた項目を、前記副表示部に表示させることを特徴とする請求項１記載の表示制御装置。
【請求項４】
前記実行制御部は、前記主操作部で操作を受付中である場合であっても、予め定められた副側優先条件を満たす場合には、前記主操作部で操作を受付中の項目に関連する項目に割り当てられた機能、および前記主表示部の表示に変更が必要となる機能を、前記実行部に実行させることを特徴とする請求項２記載の表示制御装置。
【請求項５】
前記実行部で実行可能な機能が割り当てられた項目の候補一覧を作成する候補作成部を備え、
前記実行制御部は、前記主操作部で操作を受付中である場合、前記候補作成部が作成した候補一覧の中から、前記主操作部で操作を受付中の項目に関連する項目、および前記主表示部の表示に変更が必要となる機能が割り当てられた項目を削除して前記副表示制御部へ出力し、
前記副表示制御部は、前記実行制御部が出力した候補一覧に基づき、前記副表示部に表示させる項目を制御することを特徴とする請求項２記載の表示制御装置。
【請求項６】
前記実行制御部は、前記主操作部で操作を受付中である場合であっても、予め定められた副側優先条件を満たす場合には、前記候補作成部が作成した候補一覧の中から、前記主操作部で操作を受付中の項目に関連する項目、および前記主表示部の表示に変更が必要となる機能が割り当てられた項目を削除しないことを特徴とする請求項５記載の表示制御装置。
【請求項７】
車両に搭載される表示制御装置であって、
前記予め定められた副側優先条件を満たす場合とは、前記副表示部に表示中の項目または前記副操作部で操作を受け付けた項目が、車線案内、交差点案内、分岐点案内、経由地到着案内、目的地到着案内、道路交通情報案内、警報案内または緊急案内を表示する機能が割り当てられた項目である場合としたことを特徴とする請求項３記載の表示制御装置。
【請求項８】
機能が割り当てられた項目に対する操作を受け付けて主操作情報として出力する主操作部と、
主表示部と、
前記主操作部からの前記主操作情報に基づき、前記主表示部の表示を制御する主表示制御部と、
機能が割り当てられた項目に対する操作を受け付けて副操作情報として出力する副操作部と、
副表示部と、
前記副操作部からの前記副操作情報に基づき、前記副表示部の表示を制御する副表示制御部とを備え、
前記副表示制御部は、前記主操作情報に基づき前記主操作部で操作を受付中である場合、前記副表示部に表示させている項目のうち、前記主操作部で操作を受付中の項目に関連する項目、および前記主表示部の表示に変更が必要となる機能が割り当てられた項目を表示しないよう制御することを特徴とする表示システム。
【請求項９】
表示制御装置が主表示部および副表示部の表示を制御する表示制御方法であって、
主表示制御部が、機能が割り当てられた項目に対する操作を受け付けて主操作情報として出力する主操作部からの前記主操作情報に基づき、前記主表示部の表示を制御する主表示制御ステップと、
副表示制御部が、機能が割り当てられた項目に対する操作を受け付けて副操作情報として出力する副操作部からの前記副操作情報に基づき、前記副表示部の表示を制御する副表示制御ステップとを備え、
前記副表示制御ステップでは、前記主操作情報に基づき前記主操作部で操作を受付中である場合、前記副表示制御部が、前記副表示部に表示させている項目のうち、前記主操作部で操作を受付中の項目に関連する項目、および前記主表示部の表示に変更が必要となる機能が割り当てられた項目を表示しないよう制御することを特徴とする表示制御方法。
【発明の詳細な説明】
【技術分野】
【０００１】
この発明は、車両に搭載された車載機器等の表示を制御する表示制御装置、車載機器等と表示制御装置とを備えた表示システム、および車載機器等の表示制御方法に関するものである。
【背景技術】
【０００２】
特許文献１に記載された情報表示システムは、車両用装置と携帯端末とを接続し、携帯端末の画面を車両用装置で表示させるものである。この情報表示システムは、車両用装置と携帯端末とが通信によって接続中である場合、車両用装置と携帯端末とのうち、先に操作入力が行われた側の操作中は、当該先に操作入力が行われた側のみを操作可能とする。そのため、携帯端末と車両用装置とが二者によって同時間帯に操作された場合にも、先に操作した側のみを操作可能とし、二者同時操作による誤動作を防止することが可能になる。
【先行技術文献】
【特許文献】
【０００３】
【特許文献１】特開２０１２−２１７１２９号公報
【発明の概要】
【発明が解決しようとする課題】
【０００４】
上記特許文献１に記載された情報表示システムは、先に操作した側のみを操作可能とすることで、二者同時操作による誤動作を防止することを可能にしているが、二者が同時に操作できたほうが利便性が高い場合がある。例えば、車両を誘導するナビゲーション機能と音楽を再生するＡＶ（Ａｕｄｉｏ  Ｖｉｓｕａｌ）機能とを有し、かつ、複数の操作手段を有する車載機器においては、ある操作手段によって目的地検索等のナビゲーション機能を操作している途中に、別の操作手段によって再生する曲の変更等のＡＶ機能を操作したとしても、２つの機能間での干渉がないため、誤動作は起こらない。加えて、２つの機能を同時に操作できることで、利便性が高くなる。しかしながら、上記特許文献１に開示されている技術では、複数の機能を同時に操作可能とすることで利便性が高くなる場合があることについて考慮されていない。【０００５】
この発明は、上記のような課題を解決するためになされたもので、機能の干渉を防止しつつ連携を可能にして、同時操作できることによる利便性を高めることを目的とする。
【課題を解決するための手段】
【０００６】
この発明に係る表示制御装置は、機能が割り当てられた項目に対する操作を受け付けて主操作情報として出力する主操作部からの主操作情報に基づき、主表示部の表示を制御する主表示制御部と、機能が割り当てられた項目に対する操作を受け付けて副操作情報として出力する副操作部からの副操作情報に基づき、副表示部の表示を制御する副表示制御部とを備え、副表示制御部は、主操作情報に基づき主操作部で操作を受付中である場合、副表示部に表示させている項目のうち、主操作部で操作を受付中の項目に関連する項目、および主表示部の表示に変更が必要となる機能が割り当てられた項目を表示しないよう制御するものである。
【発明の効果】
【０００７】
この発明によれば、主操作部で操作を受付中である場合、副表示部に表示させている項目のうち、主操作部で操作を受付中の項目に関連する項目、および主表示部の表示に変更が必要となる機能が割り当てられた項目を表示しないようにしたので、主操作部および主表示部と、副操作部および副表示部との間で、干渉を防止しつつ連携が可能となる。これにより、主操作部と副操作部とで同時操作が可能となるため、利便性を高めることができる。
【図面の簡単な説明】
【０００８】
【図１】この発明の実施の形態１に係る表示システムの構成例を示すブロック図である。
【図２】図２Ａおよび図２Ｂは、実施の形態１に係る表示システムにおける主表示部および副表示部の表示変化の例を示す図である。
【図３】図３Ａ、図３Ｂおよび図３Ｃは、実施の形態１に係る表示システムにおける主表示部および副表示部の表示変化の例を示す図である。
【図４】実施の形態１に係る表示システムにおいて主操作部で操作を受け付けたときの表示制御装置の動作を示すフローチャートである。
【図５】実施の形態１に係る表示システムにおいて副操作部で操作を受け付けたときの表示制御装置の動作を示すフローチャートである。
【図６】この発明の実施の形態２に係る表示システムの構成例を示すブロック図である。
【図７】図７Ａおよび図７Ｂは、実施の形態２に係る表示システムにおける主表示部および副表示部の表示変化の例を示す図である。
【図８】図８Ａ、図８Ｂおよび図８Ｃは、実施の形態２に係る表示システムにおける主表示部および副表示部の表示変化の例を示す図である。
【図９】実施の形態２に係る表示制御装置において候補作成部で候補一覧を更新したときの動作を示すフローチャートである。
【図１０】実施の形態２に係る表示システムにおいて主操作部で操作を受け付けたときの表示制御装置の動作を示すフローチャートである。
【図１１】実施の形態２に係る表示システムにおいて副操作部で操作を受け付けたときの表示制御装置の動作を示すフローチャートである。
【図１２】この発明の各実施の形態に係る表示システムのハードウェア構成図である。
【図１３】この発明の各実施の形態に係る表示システムのハードウェア構成図である。
【発明を実施するための形態】
【０００９】
以下、この発明をより詳細に説明するために、この発明を実施するための形態について、添付の図面に従って説明する。
実施の形態１．
図１は、この発明の実施の形態１に係る表示システムの構成例を示すブロック図である。図１に示すように、実施の形態１に係る表示システムは、車載機器１と表示制御装置１０とを含む。車載機器１は、自動車等の車両に搭載され、操作を受け付ける操作部と、表示を行う表示部とを備えている。表示制御装置１０は、自動車等の車両に搭載され、車載機器１の操作部に対して行われた操作の情報を受け取って、当該操作に応じた機能を車載機器１に実行させる。また、表示制御装置１０は、車載機器１の表示部の表示を制御する。
【００１０】
車載機器１は、操作を受け付ける操作部と、表示を行う表示部とを、２組備えている。図１の例では、車載機器１は、１組の主操作部２および主表示部３と、もう１組の副操作部４および副表示部５とを備えている。また、車載機器１は、ナビゲーション機能等を実行する実行部６を備えている。実行部６が実行可能な機能は、車両を誘導するナビゲーション機能の他、音楽を再生するＡＶ機能または電話をかける電話機能等、どのような機能でもよい。
【００１１】
表示制御装置１０は、主表示部３の表示を制御する主表示制御部１１と、副表示部５の表示を制御する副表示制御部１２と、実行部６の動作を制御する実行制御部１３とを備えている。
【００１２】
主操作部２は、車両に乗車する一人以上の搭乗者による操作を受け付け、操作内容を示す主操作情報を生成し、主表示制御部１１へ出力する。この主操作部２は、例えば、車両の運転席と助手席との間のセンタコンソールに設置された入力装置である。入力装置は、タッチセンサ、ボタン、リモートコントローラ、または音声認識装置等、搭乗者の操作を受け付けることができるものであれば何でもよい。
【００１３】
主表示部３は、主表示制御部１１から主表示情報を受け取り、この主表示情報に基づいて表示を行う。この主表示部３は、例えば、車両の運転席と助手席との間のセンタコンソールに設置されたディスプレイである。また、例えば、主表示部３であるディスプレイ上に、主操作部２であるタッチパネルが設置されていてもよい。
【００１４】
副操作部４は、車両に乗車する一人以上の搭乗者による操作を受け付け、操作内容を示す副操作情報を生成し、副表示制御部１２へ出力する。この副操作部４は、例えば、運転者が運転操作を行いながらでも容易に操作可能なように、ハンドル等に設置された運転者専用の入力装置である。入力装置は、タッチセンサ、ボタン、リモートコントローラ、または音声認識装置等、運転者等の操作を受け付けることができるものであれば何でもよい。
【００１５】
副表示部５は、副表示制御部１２から副表示情報を受け取り、この副表示情報に基づいて表示を行う。この副表示部５は、例えば、運転者が運転操作を行いながらでも容易に視認可能なように、ハンドル等に設置された運転者専用のディスプレイ、または運転者席の前方に設置されたメータディスプレイもしくはヘッドアップディスプレイ等である。また、例えば、副表示部５であるハンドルのディスプレイ上に、副操作部４であるタッチパネルが設置されていてもよい。
【００１６】
なお、主操作部２と主表示部３のハードウェア、および副操作部４と副表示部５のハードウェアは、上記の例に限定されるものではない。例えば、主表示部３または副表示部５として、後部座席に設置されたＲＳＥ（Ｒｅａｒ  Ｓｅａｔ  Ｅｎｔｅｒｔａｉｎｍｅｎｔ）のディスプレイを用い、主操作部２または副操作部４として、このＲＳＥのタッチパネルまたはボタン等を用いてもよい。
【００１７】
主表示制御部１１は、主操作部２から主操作情報を受け取り、実行制御部１３へ出力する。また、主表示制御部１１は、実行部６の実行結果または副操作部４の副操作情報を実行制御部１３から受け取り、受け取った情報に基づいて主表示情報を作成し、主表示部３へ出力する。
また、主表示制御部１１は、主表示部３の表示に合わせて、タッチ音または案内音声等の音声を、不図示のスピーカへ出力してもよい。
【００１８】
副表示制御部１２は、副操作部４から副操作情報を受け取り、実行制御部１３へ出力する。また、副表示制御部１２は、実行部６の実行結果または主操作部２の主操作情報を実行制御部１３から受け取り、受け取った情報に基づいて副表示情報を作成し、副表示部５へ出力する。
また、副表示制御部１２は、副表示部５の表示に合わせて、タッチ音または案内音声等の音声を、不図示のスピーカへ出力してもよい。
【００１９】
実行制御部１３は、主表示制御部１１から主操作情報を受け取り、副表示制御部１２へ出力したり、主操作情報に基づく機能の実行指示を実行部６へ出力したりする。また、実行制御部１３は、副表示制御部１２から副操作情報を受け取り、主表示制御部１１へ出力したり、副操作情報に基づく機能の実行指示を実行部６へ出力したりする。さらに、実行制御部１３は、実行指示に応じた実行結果を実行部６から受け取り、主表示制御部１１または副表示制御部１２へ出力する。
主表示制御部１１、副表示制御部１２および実行制御部１３の詳細は後述する。
【００２０】
次に、表示制御装置１０の制御による主表示部３と副表示部５の表示例を説明する。
図２Ａおよび図２Ｂは、実施の形態１に係る表示システムにおける主表示部３および副表示部５の表示変化の例を示す図である。ここでは、主操作部２が操作を受け付けていない状態で、副操作部４が操作を受け付けたときの例を説明する。
図２Ａの主表示部３と副表示部５は、主操作部２も副操作部４も操作を受け付けていない状態の画面を表示している。主表示部３は、現在地の地図を表示しており、地図表示はナビゲーション機能に含まれる。一方、副表示部５は、操作可能な項目を並べたメニュー表示となっている。「目的地設定」と「地図表示」の項目はナビゲーション機能に含まれ、「ＡＶ切り替え」と「ＡＶ曲変更」はＡＶ機能に含まれ、「電話」は電話機能に含まれる。また、ナビゲーション機能とＡＶ機能と電話機能は、互いに関連がない機能である。
【００２１】
図２Ａに示す状態において、副操作部４が、副表示部５に表示中のメニューの中から「目的地設定」の項目に対する操作を受け付けた場合、その操作に続く一連の操作によって目的地が選択されると、主表示部３と副表示部５は図２Ａから図２Ｂへ表示が変化する。図２Ｂの主表示部３と副表示部５はともに目的地が設定された旨の通知を表示し、さらに主表示部３は地図上に目的地までのルートを表示する。
【００２２】
図３Ａ、図３Ｂおよび図３Ｃは、実施の形態１に係る表示システムにおける主表示部３および副表示部５の表示変化の他の例を示す図である。ここでは、主操作部２が操作を受け付けている途中で、副操作部４も操作を受け付けたときの例を説明する。
図３Ａの主表示部３と副表示部５は、主操作部２も副操作部４も操作を受け付けていない状態の画面を表示しており、主表示部３は現在地の地図表示、副表示部５は操作可能な項目を並べたメニュー表示となっている。
【００２３】
図３Ａに示す状態において、主操作部２が、ＡＶ機能に関する操作の受け付けを開始した場合、主表示部３と副表示部５は図３Ａから図３Ｂへ表示が変化する。図３Ｂの主表示部３は、ＡＶ機能に関する操作の項目を並べたメニュー表示となる。一方、図３Ｂの副表示部５は副操作部４によってＡＶ機能に関する操作ができないように、ＡＶ機能に関連する「ＡＶ切り替え」と「ＡＶ曲変更」の項目が表示されなくなる。
【００２４】
図３Ｂに示す状態において、副操作部４が、副表示部５に表示中のメニューの中から「目的地設定」の項目に対する操作を受け付けた場合、その操作に続く一連の操作によって目的地が選択されると、副表示部５は図３Ｂから図３Ｃへ表示が変化する。図３Ｃの副表示部５は、目的地が設定された旨の通知を表示する。一方、主表示部３は、ナビゲーション機能とは関連していないＡＶ機能の表示であるため、図３Ｂと図３Ｃとで表示は変更されない。
【００２５】
次に、表示制御装置１０の動作について、図４および図５に示すフローチャートを用いて説明する。図４は、主操作部２で操作を受け付けたときの表示制御装置１０の動作を示すフローチャートである。図５は、副操作部４で操作を受け付けたときの表示制御装置１０の動作を示すフローチャートである。
【００２６】
まず、図４について説明する。
主操作部２は、項目に対する操作を受け付けると、ステップＳＴ１１において、操作を受け付けた項目を示す主操作情報を生成し、主表示制御部１１へ出力する。
ステップＳＴ１２において、主表示制御部１１は、主操作部２から受け取った主操作情報を実行制御部１３へ出力する。
【００２７】
ステップＳＴ１３において、実行制御部１３は、主表示制御部１１から受け取った主操作情報が示す項目に割り当てられた機能を実行するよう、実行指示を実行部６へ出力する。そして、実行制御部１３は、この実行指示に応じて実行部６が機能を実行した実行結果を、実行部６から受け取る。
【００２８】
ステップＳＴ１４において、実行制御部１３は、実行部６から受け取った実行結果を、主表示制御部１１へ出力する。
ステップＳＴ１５において、主表示制御部１１は、実行制御部１３から受け取った実行結果に基づいて、主表示部３に表示する主表示情報を作成する。
ステップＳＴ１６において、主表示制御部１１は、主表示情報を主表示部３へ出力する。主表示部３は、主表示制御部１１から主表示情報を受け取り、表示を更新する。
【００２９】
ステップＳＴ１７において、実行制御部１３は、主操作部２で操作を受付中の項目を示す主操作情報を、副表示制御部１２へ出力する。
ここで、操作を受付中とは、主操作部２への最後の入力から所定の時間内であるときとしてもよいし、または機能の一連の操作の途中段階であるときとしてもよい。機能の一連の操作とは、例えばＡＶ機能の場合、ラジオ、ＣＤ（Ｃｏｍｐａｃｔ  Ｄｉｓｃ）およびＵＳＢ（Ｕｎｉｖｅｒｓａｌ  Ｓｅｒｉａｌ  Ｂｕｓ）メモリ等の中から再生するソースを選択してから、最終的に選局または選曲を終了するまでの操作をいう。
【００３０】
ステップＳＴ１８において、副表示制御部１２は、実行制御部１３から受け取った主操作情報に基づいて、副表示部５に表示させている副表示情報の項目のうち、主操作部２で操作を受付中の項目に関連する項目、および主表示部３の表示に変更が必要となる機能が割り当てられた項目を除いた副表示情報を作成する。
ここで、主操作部２で操作を受付中の項目に関連する項目とは、例えば、ＡＶ機能に含まれる「ＡＶ切り替え」と「ＡＶ曲変更」等の項目のことである。また、例えば、ＡＶ機能に含まれる「ＡＶ切り替え」と「ＡＶ曲変更」等の項目は、ナビゲーション機能に含まれる「目的地設定」と「地図表示」等の項目とは関連していない。
また、主表示部３の表示に変更が必要となる機能が割り当てられた項目とは、例えば、主表示部３が図３ＣのＡＶ機能に関する操作の項目を並べたメニューを表示している場合、ＡＶ機能に含まれる「ＡＶ切り替え」と「ＡＶ曲変更」等の項目のことである。
【００３１】
ただし、副表示制御部１２は、副表示部５に表示させている副表示情報の項目のうち、予め定められた副側優先条件を満たす項目については、前記の条件を満たしていたとしても副表示情報から除くことはしない。
ここで、副側優先条件を満たす項目とは、副操作部４を操作する運転者が運転する際に使用する情報を表示する機能が割り当てられた項目である。運転する際に使用する情報とは、例えば、ナビゲーション機能による経路誘導時の車線案内、交差点案内、分岐点案内、経由地到着案内、または目的地到着案内のことである。また、運転する際に使用する情報とは、例えば、ＶＩＣＳ（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ、登録商標）等から車両へ配信された交通障害情報もしくは交通規制情報等の道路交通情報案内、出会い頭の衝突もしくは追突の注意を促す警報案内、または地震などの災害が発生した場合の緊急案内のことであってもよい。
これにより、副操作部４と副表示部５が運転者のために設置されている場合は、交差点案内などのナビゲーション機能の誘導に関する表示を、主操作部２の操作状態および主表示部３の表示状態に関わらず、運転者が必要とするタイミングで行うことができる。よって、主操作部２に対する操作および主表示部３に対する表示が、運転者への経路誘導を妨げることがなくなる。
【００３２】
ステップＳＴ１９において、副表示制御部１２は、副表示情報を副表示部５へ出力する。副表示部５は、副表示制御部１２から副表示情報を受け取り、表示を更新する。そして、表示制御装置１０は、図４に示す一連の処理を終了する。
これにより、副表示部５に表示されている項目のうち、主操作部２で操作を受付中の項目に関連する項目、および主表示部３の表示に変更が必要となる機能に割り当てられた項目は表示されなくなり、操作できなくなる。よって、主操作部２の操作と副操作部４の操作が同時に行われることによる、実行部６の誤動作および意図しない主表示部３の表示変化を防ぐことができる。
一方、副表示部５に表示されている項目のうち、主操作部２で操作を受付中の項目に関連する項目、および主表示部３の表示に変更が必要となる機能に割り当てられた項目以外は表示されるため、操作できる。よって、これらの項目に関しては、実行部６の誤動作および意図しない主表示部３の表示変化を防ぎつつ、主操作部２の操作と副操作部４の操作を同時に行うことができる。
【００３３】
次に、図５について説明する。
副操作部４は、項目に対する操作を受け付けると、ステップＳＴ２１において、操作を受け付けた項目を示す副操作情報を生成し、副表示制御部１２へ出力する。
【００３４】
ステップＳＴ２２において、副表示制御部１２は、副操作部４から受け取った副操作情報を実行制御部１３へ出力する。
【００３５】
ステップＳＴ２３において、実行制御部１３は、これまでに主表示制御部１１から受け取った主操作情報に基づいて、主操作部２で操作を受付中であるか否かを判定する。実行制御部１３は、主操作部２で操作を受付中である場合（ステップＳＴ２３“ＹＥＳ”）、ステップＳＴ２４へ進み、主操作部２で操作を受付中でない場合（ステップＳＴ２３“ＮＯ”）、ステップＳＴ２５へ進む。
【００３６】
ステップＳＴ２４において、実行制御部１３は、副表示制御部１２から受け取った副操作情報が示す項目が、予め定められた副側優先条件を満たす項目であるか否かを判定する。副側優先条件は、図４のステップＳＴ１８において説明した副表示制御部１２の副側優先条件と同じである。
実行制御部１３は、副操作情報の項目が副側優先条件を満たす項目である場合（ステップＳＴ２４“ＹＥＳ”）、ステップＳＴ２５へ進み、副操作情報の項目が副側優先条件を満たさない項目である場合（ステップＳＴ２４“ＮＯ”）、ステップＳＴ３２へ進む。
【００３７】
ステップＳＴ２５において、実行制御部１３は、副表示制御部１２から受け取った副操作情報が示す項目に割り当てられた機能を実行するよう、実行指示を実行部６へ出力する。そして、実行制御部１３は、この実行指示に応じて実行部６が機能を実行した実行結果を、実行部６から受け取る。
【００３８】
ステップＳＴ２６において、実行制御部１３は、実行部６から受け取った実行結果を、副表示制御部１２へ出力する。
ステップＳＴ２７において、副表示制御部１２は、実行制御部１３から受け取った実行結果に基づいて、副表示部５に表示する副表示情報を作成する。
ステップＳＴ２８において、副表示制御部１２は、副表示情報を副表示部５へ出力する。副表示部５は、副表示制御部１２から副表示情報を受け取り、表示を更新する。
【００３９】
ステップＳＴ２９において、実行制御部１３は、ステップＳＴ２５，ＳＴ２６で実行された機能に対応する項目を示す副操作情報を作成し、主表示制御部１１へ出力する。
ステップＳＴ３０において、主表示制御部１１は、実行制御部１３から受け取った副操作情報に基づいて、主表示部３に表示する主表示情報を作成する。
ステップＳＴ３１において、主表示制御部１１は、主表示情報を主表示部３へ出力する。主表示部３は、主表示制御部１１から主表示情報を受け取り、表示を更新する。そして、表示制御装置１０は、図５に示す一連の処理を終了する。
【００４０】
ステップＳＴ３２において、実行制御部１３は、これまでに主表示制御部１１から受け取った主操作情報に基づいて、副表示制御部１２から受け取った副操作情報が示す項目が、主操作部２で操作を受付中の項目に関連する項目、または主表示部３の表示に変更が必要となる機能が割り当てられた項目であるか否かを判定する。実行制御部１３は、副操作情報の項目が前記の条件を満たす場合（ステップＳＴ３２“ＹＥＳ”）、図５に示す一連の処理を終了し、副操作情報の項目が前記の条件を満たさない場合（ステップＳＴ３２“ＮＯ”）、ステップＳＴ３３へ進む。
【００４１】
ステップＳＴ３３において、実行制御部１３は、副表示制御部１２から受け取った副操作情報が示す項目に割り当てられた機能を実行するよう、実行指示を実行部６へ出力する。そして、実行制御部１３は、この実行指示に応じて実行部６が機能を実行した実行結果を、実行部６から受け取る。
これにより、副表示部５に表示されている項目に割り当てられた機能のうち、主操作部２で操作を受付中の項目に関連する項目に割り当てられた機能、および主表示部３の表示に変更が必要となる機能は実行されない。よって、これらの項目に関しては、主操作部２の操作と副操作部４の操作が同時に行われることによる、実行部６の誤動作および意図しない主表示部３の表示変化を防ぐことができる。
一方、副表示部５に表示されている項目に割り当てられた機能のうち、主操作部２で操作を受付中の項目に関連する項目に割り当てられた機能、および主表示部３の表示に変更が必要となる機能以外は実行される。よって、実行部６の誤動作および意図しない主表示部３の表示変化を防ぎつつ、主操作部２の操作と副操作部４の操作を同時に行うことができる。
【００４２】
ステップＳＴ３４において、実行制御部１３は、実行部６から受け取った実行結果を、副表示制御部１２へ出力する。
ステップＳＴ３５において、副表示制御部１２は、実行制御部１３から受け取った実行結果に基づいて、副表示部５に表示する副表示情報を作成する。
ステップＳＴ３６において、副表示制御部１２は、副表示情報を副表示部５へ出力する。副表示部５は、副表示制御部１２から副表示情報を受け取り、表示を更新する。そして、表示制御装置１０は、図５に示す一連の処理を終了する。
【００４３】
以上のとおり、実施の形態１に係る表示制御装置１０は、主操作部２からの主操作情報に基づき主表示部３の表示を制御する主表示制御部１１と、副操作部４からの副操作情報に基づき副表示部５の表示を制御する副表示制御部１２とを備える構成である。この副表示制御部１２は、主操作情報に基づき主操作部２で操作を受付中である場合、副表示部５に表示させている項目のうち、主操作部２で操作を受付中の項目に関連する項目、および主表示部３の表示に変更が必要となる機能が割り当てられた項目を表示しないよう制御する。これにより、主操作部２および主表示部３と、副操作部４および副表示部５との間で、干渉を防止しつつ連携が可能となる。従って、主操作部２と副操作部４とで同時操作が可能となり、利便性を高めることができる。
【００４４】
また、実施の形態１に係る表示制御装置１０は、主操作情報および副操作情報に基づき、主操作部２および副操作部４で操作を受け付けた項目に割り当てられた機能を、実行部６で実行するよう制御する実行制御部１３を備える構成である。この実行制御部１３は、主操作部２で操作を受付中である場合、副表示制御部１２が副表示部５に表示させている項目に割り当てられた機能のうち、主操作部２で操作を受付中の項目に関連する項目に割り当てられた機能、および主表示部３の表示に変更が必要となる機能を実行しないよう実行部６を制御する。これにより、主操作部２および主表示部３と、副操作部４および副表示部５との間で、より確実に干渉を防止しつつ、連携が可能となる。
【００４５】
なお、図１の例では、表示制御装置１０は、主操作部２で操作を受付中の項目に関連する項目および主表示部３の表示に変更が必要となる機能が割り当てられた項目の表示を禁止する副表示制御部１２と、上記項目に割り当てられた機能の実行を禁止する実行制御部１３の両方を備える構成であったが、この構成に限定されるものではない。
例えば、副操作部４が副表示部５に表示された項目のみ操作を受付可能であって表示されていない項目に対する操作を受け付けない場合を考える。この場合、実行制御部１３による実行禁止の制御を行わず、副表示部５に表示された項目に割り当てられた機能すべてを実行部６で実行可能とする構成にしたとしても、主操作部２および主表示部３と副操作部４および副表示部５との間で干渉する項目はそもそも表示されないため、干渉を防止できる。実行制御部１３を不要とした場合には、例えば、主表示制御部１１と副表示制御部１２とから実行部６へ直接操作情報を出力すればよい。
【００４６】
また、実施の形態１によれば、副表示制御部１２は、主操作情報に基づき主操作部２で操作を受付中である場合であっても、予め定められた副側優先条件を満たす場合には、主操作部２で操作を受付中の項目に関連する項目、および主表示部３の表示に変更が必要となる機能が割り当てられた項目を、副表示部５に表示させる構成である。副表示部５での表示が必要とされる状況では、主操作部２の操作状態および主表示部３の表示状態に関わらず、副操作部４に対する操作を優先することができ、利便性をさらに高めることができる。
【００４７】
また、実施の形態１によれば、実行制御部１３は、主操作部２で操作を受付中である場合であっても、予め定められた副側優先条件を満たす場合には、主操作部２で操作を受付中の項目に関連する項目に割り当てられた機能、および主表示部３の表示に変更が必要となる機能を、実行部６に実行させる構成である。副表示部５での表示が必要とされる状況では、主操作部２の操作状態および主表示部３の表示状態に関わらず、副操作部４に対する操作を優先することができ、利便性をさらに高めることができる。
【００４８】
また、実施の形態１によれば、予め定められた副側優先条件を満たす場合とは、副表示部５に表示中の項目または副操作部４で操作を受け付けた項目が、車線案内、交差点案内、分岐点案内、経由地到着案内、目的地到着案内、道路交通情報案内、警報案内または緊急案内を表示する機能が割り当てられた項目である場合とした。これにより、副操作部４と副表示部５が運転者のために設置されている場合に、運転者が運転する際に使用する情報を、運転者が必要とするタイミングで表示することができ、利便性を高めることができる。
【００４９】
実施の形態２．
図６は、実施の形態２に係る表示制御装置１０Ａの構成例を示すブロック図である。実施の形態２に係る表示制御装置１０Ａは、上記実施の形態１に係る表示制御装置１０の実行制御部１３Ａ内に、候補作成部２０が追加された構成である。これ以外の構成において、図１と同一または相当の部分については同一の符号を付し説明を省略する。
【００５０】
候補作成部２０は、車載機器１の実行部６で実行可能な機能が割り当てられた項目の候補一覧を作成する。例えば、副操作部４と副表示部５が運転者のために設置されている場合、候補作成部２０は、運転者が操作する可能性が高い項目の候補を推薦する。推薦する項目の候補は、１つでもよいし複数でもよい。また、候補作成部２０は、予め定められた周期で候補一覧を更新してもよいし、予め定められた更新条件を満たすときに候補一覧を更新してもよい。予め定められた更新条件とは、例えば、交差点に近づく等して車両の状態が変化したとき、または実行部６が何らかの機能を実行して車載機器１の状態が変化したとき等とする。
【００５１】
候補作成部２０は、車両に搭載された各種センサから、車両の位置または速度などの車両センサ情報を取得し、予め定められている車両センサ情報と項目の候補との対応関係に基づいて、項目の候補一覧を作成する。あるいは、候補作成部２０は、目的地設定の有無または音楽再生の有無など、実行部６の実行結果等に基づく車載機器１の状態を判定し、予め定められている車載機器１の状態と項目の候補との対応関係に基づいて、項目の候補一覧を作成してもよい。
あるいは、候補作成部２０は、副操作部４で操作を受け付けた項目と、その操作を受け付けたときの車両センサ情報または車載機器１の状態との対応関係を学習していき、学習結果に基づいて、項目の候補一覧を作成してもよい。
あるいは、候補作成部２０は、他車両に搭載された表示制御装置１０Ａによる学習結果を取得し、その学習結果に基づいて、項目の候補一覧を作成してもよい。
なお、項目の候補一覧を作成する方法は上記の方法に限定されるものではなく、実行部６で実行可能な機能が割り当てられた項目の候補一覧を作成可能であれば、どのような方法であってもよい。
【００５２】
実行制御部１３Ａは、主表示制御部１１から受け取った主操作情報および副表示制御部１２から受け取った副操作情報に基づいて、候補作成部２０が作成した候補一覧に含まれる項目のうち、主操作部２で操作を受付中の項目に関連する項目、および主表示部３の表示に変更が必要となる機能が割り当てられた項目を削除する。そして、実行制御部１３Ａは、項目削除後の候補一覧を副表示制御部１２へ出力する。
【００５３】
ただし、実行制御部１３Ａは、主操作部２で操作を受付中である場合であっても、候補一覧に含まれる項目のうちの予め定められた副側優先条件を満たす項目については、前記の条件を満たしていたとしても候補一覧から除くことはしない。副側優先条件は、上記実施の形態１の図４に示したステップＳＴ１８において説明した副表示制御部１２の副側優先条件、および図５に示したステップＳＴ２４において説明した実行制御部１３の副側優先条件と同じである。
【００５４】
副表示制御部１２は、実行制御部１３Ａから項目削除後の候補一覧を受け取り、この候補一覧に基づいて副表示情報を作成し、副表示部５へ出力する。副表示部５は、副表示制御部１２からの副表示情報を受け取り、表示を更新する。
【００５５】
次に、表示制御装置１０Ａの制御による主表示部３と副表示部５の表示例を説明する。以下の説明において、副表示部５は、候補一覧の表示を目的とした表示部であり、候補一覧以外の地図表示等は主表示部３に表示されるものとする。
図７Ａおよび図７Ｂは、実施の形態２に係る表示システムにおける主表示部３および副表示部５の表示変化の例を示す図である。ここでは、主操作部２が操作を受け付けていない状態で、副操作部４が操作を受け付けたときの例を説明する。
図７Ａの主表示部３と副表示部５は、主操作部２も副操作部４も操作を受け付けていない状態の画面を表示している。主表示部３は、現在地の地図を表示している。一方、副表示部５は、候補一覧の３つの項目「（１）自宅を目的地に設定」、「（２）地図の表示拡大」、「（３）ラジオを再生」を表示している。
【００５６】
図７Ａに示す状態において、副操作部４が、副表示部５に表示中の「（１）自宅を目的地に設定」の項目に対する操作を受け付けた場合、主表示部３と副表示部５は図７Ａから図７Ｂに表示が変化する。図７Ｂの主表示部３と副表示部５はともに目的地が設定された旨の通知を表示する。また、主表示部３は地図上に目的地までのルートを表示し、副表示部５は候補一覧の項目の表示を更新する。
【００５７】
図８Ａ、図８Ｂおよび図８Ｃは、実施の形態２に係る表示システムにおける主表示部３および副表示部５の表示変化の他の例を示す図である。ここでは、主操作部２が操作を受け付けている途中で、副操作部４も操作を受け付けたときの例を説明する。
図８Ａの主表示部３と副表示部５は、主操作部２も副操作部４も操作を受け付けていない状態の画面を表示しており、主表示部３は現在地の地図表示、副表示部５は候補一覧の３つの項目を表示している。
【００５８】
図８Ａに示す状態において、主操作部２が、ＡＶ機能に関する操作の受け付けを開始した場合、主表示部３と副表示部５は図８Ａから図８Ｂへ表示が変化する。図８Ｂの主表示部３は、ＡＶ機能に関する操作の項目を並べたメニュー表示となる。一方、図８Ｂの副表示部５は、主操作部２が操作を受付中のＡＶ機能に関連する「（３）ラジオを再生」の項目と、主操作部２の図８Ｂの表示に変化が必要となる「（２）地図の表示拡大」の項目とが表示されなくなる。そして、候補作成部２０が作成した候補一覧のうち、主操作部２が操作を受付中のＡＶ機能と関連せず、かつ、主表示部３の表示の変更が発生しない項目が、副表示部５に表示される。
【００５９】
図８Ｂに示す状態において、副操作部４が、副表示部５に表示中の候補一覧の中から「（１）自宅を目的地に設定する」の項目に対する操作を受け付けた場合、主表示部３と副表示部５は図８Ｂから図８Ｃへ表示が変化する。図８Ｃの副表示部５は、「（１）自宅を目的地に設定する」の項目に割り当てられた機能が実行されたことにより、この項目が表示されなくなる。そして、候補作成部２０が作成した候補一覧のうち、主操作部２が操作を受付中のＡＶ機能と関連せず、かつ、主表示部３の表示の変更が発生しない項目が、副表示部５に表示される。一方、主表示部３は、「（１）自宅を目的地に設定する」の項目とは関連していないＡＶ機能の表示であるため、図８Ｂと図８Ｃとで表示は変更されない。
【００６０】
次に、表示制御装置１０Ａの動作について、図９、図１０および図１１に示すフローチャートを用いて説明する。図９は、候補作成部２０で候補一覧を更新したときの表示制御装置１０Ａの動作を示すフローチャートである。図１０は、主操作部２で操作を受け付けたときの表示制御装置１０Ａの動作を示すフローチャートである。図１１は、副操作部４で操作を受け付けたときの表示制御装置１０Ａの動作を示すフローチャートである。
【００６１】
まず。図９について説明する。
ここでは、候補作成部２０が、予め定められた周期で、候補一覧を更新しているものとする。
候補作成部２０が候補一覧を更新すると、ステップＳＴ４１において、実行制御部１３Ａは、これまでに主表示制御部１１から受け取った主操作情報に基づいて、主操作部２で操作を受付中であるか否かを判定する。実行制御部１３Ａは、主操作部２で操作を受付中である場合（ステップＳＴ４１“ＹＥＳ”）、ステップＳＴ４２へ進み、主操作部２で操作を受付中でない場合（ステップＳＴ４１“ＮＯ”）、ステップＳＴ４３へ進む。
【００６２】
ステップＳＴ４２において、実行制御部１３Ａは、これまでに主表示制御部１１から受け取った主操作情報に基づいて、最新の候補一覧に含まれる項目のうち、主操作部２で操作を受付中の項目に関連する項目、および主表示部３の表示に変更が必要となる機能が割り当てられた項目を除く。
ただし、実行制御部１３Ａは、取得した候補一覧に含まれる項目のうち、副側優先条件を満たす項目は除かない。
【００６３】
ステップＳＴ４３において、実行制御部１３Ａは、ステップＳＴ４２で項目を削除する処理を行った後の候補一覧を副表示制御部１２へ出力する。副表示制御部１２は、実行制御部１３Ａから受け取った候補一覧に基づいて、副表示部５に表示する副表示情報を作成する。
【００６４】
ステップＳＴ４４において、副表示制御部１２は、作成した副表示情報を副表示部５へ出力する。副表示部５は、副表示制御部１２から副表示情報を受け取り、表示を更新する。そして、表示制御装置１０Ａは、図９に示す一連の処理を終了する。
【００６５】
次に、図１０について説明する。
図１０のステップＳＴ１１〜ＳＴ１６は、図４のステップＳＴ１１〜ＳＴ１６と同じ処理であるため、説明を省略する。
【００６６】
ステップＳＴ５１において、実行制御部１３Ａは、主表示制御部１１から受け取った主操作情報に基づいて、候補作成部２０が作成した最新の候補一覧に含まれる項目のうち、主操作部２で操作を受付中の項目に関連する項目、および主表示部３の表示に変更が必要となる機能が割り当てられた項目を除く。
ただし、実行制御部１３Ａは、取得した候補一覧に含まれる項目のうち、副側優先条件を満たす項目は除かない。
【００６７】
ステップＳＴ５２において、実行制御部１３Ａは、ステップＳＴ５１で項目を削除する処理を行った後の候補一覧を副表示制御部１２へ出力する。副表示制御部１２は、実行制御部１３Ａから受け取った候補一覧に基づいて、副表示部５に表示する副表示情報を作成する。
【００６８】
ステップＳＴ５３において、副表示制御部１２は、作成した副表示情報を副表示部５へ出力する。副表示部５は、副表示制御部１２から副表示情報を受け取り、表示を更新する。そして、表示制御装置１０Ａは、図１０に示す一連の処理を終了する。
【００６９】
次に、図１１について説明する。
図１１のステップＳＴ２１〜ＳＴ３４は、図５のステップＳＴ２１〜ＳＴ３４と同じ処理であり、副操作部４で操作を受け付けた項目に割り当てられた機能の実行および主表示部３の表示更新が行われた。続くステップＳＴ６１以降では、候補一覧の更新および副表示部５の表示更新が行われる。
【００７０】
ステップＳＴ６１において、実行制御部１３Ａは、最新の候補一覧を候補作成部２０から取得する。その後、実行制御部１３Ａと副表示制御部１２は、図９のステップＳＴ４１〜ＳＴ４４と同じ処理を行う。
ただし、実行制御部１３Ａは、ステップＳＴ２３とステップＳＴ４１で２回、主操作部２が操作を受付中であるか否かを判定してもよいし、ステップＳＴ２３の判定結果をステップＳＴ４１でそのまま利用してもよい。
また、副表示制御部１２は、ステップＳＴ２６またはステップＳＴ３４で実行制御部１３Ａから実行結果を受け取った場合、その後のステップＳＴ４３において、この実行結果と、実行制御部１３Ａから受け取った項目削除後の候補一覧とに基づいて、副表示部５に表示する副表示情報を作成する。
【００７１】
以上のとおり、実施の形態２に係る表示制御装置１０Ａは、実行部６で実行可能な機能が割り当てられた項目の候補一覧を作成する候補作成部２０を備える構成である。そして、実行制御部１３Ａは、主操作部２で操作を受付中である場合、候補作成部２０が作成した候補一覧の中から、主操作部２で操作を受付中の項目に関連する項目、および主表示部３の表示に変更が必要となる機能が割り当てられた項目を削除して副表示制御部１２へ出力する。副表示制御部１２は、実行制御部１３Ａが出力した候補一覧に基づき、副表示部５に表示させる項目を制御する。これにより、副表示部５が候補一覧を表示する構成である場合に、主操作部２および主表示部３と、副操作部４および副表示部５との間で、干渉を防止しつつ連携が可能となる。従って、主操作部２と副操作部４とで同時操作が可能となり、利便性を高めることができる。
【００７２】
また、実施の形態２によれば、実行制御部１３Ａは、主操作部２で操作を受付中である場合であっても、予め定められた副側優先条件を満たす場合には、候補作成部２０が作成した候補一覧の中から、主操作部２で操作を受付中の項目に関連する項目、および主表示部３の表示に変更が必要となる機能が割り当てられた項目を削除しない構成である。副表示部５での表示が必要とされる状況では、主操作部２の操作状態および主表示部３の表示状態に関わらず、副操作部４に対する操作を優先することができ、利便性をさらに高めることができる。
【００７３】
なお、実施の形態２では、実行制御部１３Ａが、候補作成部２０により作成された候補一覧の中から、主操作部２で操作を受付中の項目に関連する項目および主表示部３の表示に変更が必要となる機能が割り当てられた項目を削除し、副側優先条件を満たす項目を残す構成にしたが、この構成に限定されるものではなく、副表示制御部１２が、候補作成部２０により作成された候補一覧から上記項目を削除し、副側優先条件を満たす項目を残す構成にしてもよい。
【００７４】
最後に、図１２および図１３を参照して、この発明の各実施の形態に係る表示システムのハードウェア構成例を説明する。
図１２において、バス１００には、プロセッサ１０１、メモリ１０２、入力装置１０３，１０４およびディスプレイ１０５，１０６が接続されている。また、バス１００にスピーカ１０７が接続されていてもよい。
【００７５】
車載機器１と表示制御装置１０，１０Ａとを備える表示システムにおいて、主操作部２は入力装置１０３であり、主表示部３はディスプレイ１０５であり、副操作部４は入力装置１０４であり、副表示部５はディスプレイ１０６である。なお、表示システムは、主表示部３と副表示部５の表示に合わせた音声をスピーカ１０７から出力してもよい。
【００７６】
また、表示システムにおける主表示制御部１１、副表示制御部１２、実行制御部１３，１３Ａおよび実行部６の各機能は、処理回路により実現される。即ち、表示システムは、主操作部２からの主操作情報に基づき主表示部３の表示を制御する、副操作部４からの副操作情報に基づき副表示部５の表示を制御する、主操作部２および主表示部３で操作を受け付けた項目割り当てられた機能を実行を制御する、およびその機能を実行するための処理回路を備える。なお、実行部６、主表示制御部１１、副表示制御部１２および実行制御部１３，１３Ａの機能それぞれを複数の処理回路で実現してもよいし、各部の機能をまとめて１つの処理回路で実現してもよい。
【００７７】
処理回路は、メモリ１０２に格納されているプログラムを実行するプロセッサ１０１である。プロセッサ１０１は、ＣＰＵ（Ｃｅｎｔｒａｌ  Ｐｒｏｃｅｓｓｉｎｇ  Ｕｎｉｔ）、処理装置、演算装置、マイクロプロセッサ、マイクロコンピュータ、またはＤＳＰ（Ｄｉｇｉｔａｌ  Ｓｉｇｎａｌ  Ｐｒｏｃｅｓｓｏｒ）等ともいう。メモリ１０２は、例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  ＥＰＲＯＭ）等の不揮発性または揮発性の半導体メモリであってもよいし、ハードディスク、フレキシブルディスク等の磁気ディスクであってもよいし、ミニディスク、ＣＤ、ＤＶＤ（Ｄｉｇｉｔａｌ  Ｖｅｒｓａｔｉｌｅ  Ｄｉｓｃ）等の光ディスクであってもよい。
【００７８】
表示システムにおける主表示制御部１１、副表示制御部１２、実行制御部１３，１３Ａおよび実行部６の各機能は、ソフトウェア、ファームウェア、またはソフトウェアとファームウェアとの組み合わせにより実現される。ソフトウェアまたはファームウェアはプログラムとして記述され、メモリ１０２に格納される。プロセッサ１０１は、メモリ１０２に記憶されたプログラムを読み出して実行することにより、各部の機能を実現する。即ち、表示システムは、プロセッサ１０１により実行されるときに、図４と図５、または図９〜図１１に示した各ステップが結果的に実行されることになるプログラムを格納するためのメモリ１０２を備える。また、このプログラムは、表示システムにおける各部の手順または方法をコンピュータに実行させるものであるともいえる。
【００７９】
図１２の例では、車載機器１と表示制御装置１０，１０Ａとがバス１００により電気的に接続されていたが、この構成に限定されるものではない。
例えば図１３のように、車載機器１と表示制御装置１０，１０Ａとが、通信装置１１０，１１１，１１２によって無線通信または有線通信で情報をやり取りする構成になっていてもよい。図１３の例では、表示制御装置１０，１０Ａは、バス１００に接続されているプロセッサ１０１、メモリ１０２、スピーカ１０７および通信装置１１０により構成されている。車載機器１の主操作部２と主表示部３は、バス１２０に接続されている入力装置１０３、ディスプレイ１０５および通信装置１１１により構成されている。車載機器１の副操作部４と副表示部５は、バス１２１に接続されている入力装置１０４、ディスプレイ１０６および通信装置１１２により構成されている。
また、図示は省略するが、主操作部２である入力装置１０３、主表示部３であるディスプレイ１０５、副操作部４である入力装置１０４、および副表示部５であるディスプレイ１０６の全てまたは一部がそれぞれ通信装置を備え、表示制御装置１０，１０Ａの通信装置１１０との間で情報をやり取りする構成になっていてもよい。
【００８０】
なお、本発明はその発明の範囲内において、各実施の形態の自由な組み合わせ、各実施の形態の任意の構成要素の変形、または各実施の形態の任意の構成要素の省略が可能である。
【産業上の利用可能性】
【００８１】
この発明に係る表示システムは、２組の操作部と表示部の間での干渉を防止しつつ連携を可能とするようにしたので、車両、鉄道、船舶または航空機等を含む移動体用の表示システムに用いるのに適している。
【符号の説明】
【００８２】
１  車載機器、２  主操作部、３  主表示部、４  副操作部、５  副表示部、６  実行部、１０，１０Ａ  表示制御装置、１１  主表示制御部、１２  副表示制御部、１３，１３Ａ  実行制御部、２０  候補作成部、１００，１２０，１２１  バス、１０１  プロセッサ、１０２  メモリ、１０３，１０４  入力装置、１０５，１０６  ディスプレイ、１０７  スピーカ、１１０，１１１，１１２  通信装置。
【図１】
2017072957.tif 000003
【図２】
2017072957.tif 000004
【図３】
2017072957.tif 000005
【図４】
2017072957.tif 000006
【図５】
2017072957.tif 000007
【図６】
2017072957.tif 000008
【図７】
2017072957.tif 000009
【図８】
2017072957.tif 000010
【図９】
2017072957.tif 000011
【図１０】
2017072957.tif 000012
【図１１】
2017072957.tif 000013
【図１２】
2017072957.tif 000014
【図１３】
2017072957.tif 000015
【国際調査報告】
2017072957.tif 000016
2017072957.tif 000017
2017072957.tif 000018
2017072957.tif 000019